(57)【要約】【課題】  他の電子部品とともにプリント基板に密集して取り付けた場合にも、測定箇所のチェック用端子を容易に探すことができ、また、鰐口クリップ等のプローブを接触させた場合に、プローブがずれることなく安定して保持でき、それゆえ正確な信号検出が可能な、新規チェック用端子を提供すること。【解決手段】  絶縁性の柱状ビーズ１０と、柱状ビーズ１０を貫通して両端へ突出する線材２０とから構成され、線材２０は、柱状ビーズ１０の一端側ではプローブを接触させるためのリング状頭部２１を形成し、柱状ビーズ１０の他端側では回路へ接続するための脚部２２を形成し、さらにリング状頭部１０の一部には線材が水平に形成された水平部位２１０を有してなるチェック用端子１である。【選択図】  図１
2006324148.tif 000002
【特許請求の範囲】
【請求項１】
プリント基板に取り付けて回路上の任意の箇所における電気特性を計測もしくは検査するためのチェック用端子であって、絶縁性の柱状ビーズと、前記柱状ビーズを貫通し前記柱状ビーズの両端へ突出する線材とから構成され、前記線材は、前記柱状ビーズの一端側ではプローブを接触させるためのリング状頭部を形成し、前記柱状ビーズの他端側では回路へ接続するための脚部を形成し、さらに前記リング状頭部の一部には線材が水平に形成された水平部位を有してなるチェック用端子。
【請求項２】
請求項１記載のチェック用端子において、リング状頭部は、柱状ビーズの端面を頂点とする逆三角形に形成され、前記逆三角形の底辺を水平部位とすることを特徴とするチェック用端子。
【請求項３】
請求項１又は２記載のチェック用端子において、柱状ビーズの高さが、チェック用端子をプリント基板に取り付けたときに他の電子部品より高くなるように設定されることを特徴とするチェック用端子。
【請求項４】
請求項３記載のチェック用端子において、柱状ビーズの高さが、４〜８ｍｍであることを特徴とするチェック用端子。
【発明の詳細な説明】
【技術分野】
【０００１】
本発明は、回路が形成されたプリント基板に取り付け、プローブを接触させることにより、回路上の電位、電流等の値、波形等の電気特性を計測もしくは検査するためのチェック用端子に関する。
【背景技術】
【０００２】
チェック用端子は、プリント基板上に設けられ、回路上の電位、電流等の値、あるいは波形等の、各電子部品間を流れる電気信号が所定の範囲内であるか否かをチェックするために使用されるものであり、例えば組み立て工場での不良品チェックや、機器のメンテナンス時、故障時に回路上のどの電子部品に異常があるかを調べるために利用される。
【０００３】
従来のチェック用端子として、（特許文献１）には、チェックすべき複数箇所から延長してチェック用配線パターンを形成し、そのチェック用配線パターンの端部をプリント基板の縁部に集中して配置したことを特徴とするチェック用配線パターン付きプリント基板が開示されている。また、（特許文献２）には、プリント基板にあって各別に固有の電気的特性を示す１以上の独立した各導通部位のそれぞれに対し、独立して導通するチェック用端子としてのスルーホールを各別に設けたことを特徴とするプリント基板におけるチェック端子構造が記載されている。
【０００４】
これらの従来技術は、チェック用端子を設けるためにプリント基板上に比較的広い面積を必要とするという問題点があった。また、電気信号を測定する際には各チェック用端子に電気計測器のプローブを接触させて行うが、上記従来のチェック用端子では、基板表面の低い位置に設けられている（印刷されている）ため、周囲のコンデンサや抵抗等の電子部品に接触しないようプローブを近づけるには作業者の熟練を要するという問題もあった。
【０００５】
これに対し、導電性の線材をプリント基板に挿入し、半田付けをして電気信号の取り出しを行うタイプのチェック用端子が知られている。
例えば、（特許文献３）には、端子本体の弾性を有する一対の脚をビーズ玉の貫通孔に弾性的に嵌挿してなるプリント基板用チェック端子が記載されている。このチェック用端子は、ビーズ玉を任意の色に着色することによって、チェック用端子の識別を図ったものであり、従来のようにプリント基板面に印刷した識別符号を見てチェック用端子の識別を行う必要がない、という利点を有している。
【０００６】
しかし、上記（特許文献３）に係るチェック用端子は、図４に示すように、ビーズ玉３０の高さｈ３がせいぜい１〜２ｍｍ程度であり、端子の高さが低いという問題があった。すなわち、近年は基板実装の集積率も上がって基板上の電子部品も密集してきており、現行の高さでは周囲の電子部品Ａに隠れてチェック用端子１Ｂが見えなくなり目視で確認し難い場合があった。また、部品の密集によって測定の際にプローブＤ１が他の部品に接触し正常信号検出ができない事態も発生していた。
【０００７】
さらに、上記（特許文献３）に係るチェック用端子は、第２図に示すように、プローブＤ１を接触させる頭部４０を単に丸形の輪に形成しているため、測定中にプローブがずれ、取り出す信号が不安定となる場合があった。特に、プローブとして鰐口クリップを用いた場合には、丸形の頭部と鰐口クリップとの接触面積が小さいため、プローブがよりずれ易いという問題があった。
【０００８】
【特許文献１】特開平１０−６５３０１号公報（請求項１)
【特許文献２】特開２００１−３４５５２９号公報（請求項１）
【特許文献２】実開昭５７−１８６９８０号公報（実用新案登録請求の範囲）
【発明の開示】
【発明が解決しようとする課題】
【０００９】
そこで本発明は、上記従来の状況に鑑み、他の電子部品とともにプリント基板に密集して取り付けた場合にも、測定箇所のチェック用端子を容易に探すことができ、かつプローブを他の部品と接触させることなく安全に測定・検査を行うことが可能な、新規チェック用端子を提供することを目的とする。
【００１０】
また、本発明は、鰐口クリップ等のプローブを接触させた場合に、プローブがずれることなく安定して保持でき、それゆえ正確な信号検出が可能な、新規チェック用端子を提供することを目的とする。
【課題を解決するための手段】
【００１１】
上記課題を解決するため、本発明は、請求項１として、プリント基板に取り付けて回路上の任意の箇所における電気特性を計測もしくは検査するためのチェック用端子であって、絶縁性の柱状ビーズと、前記柱状ビーズを貫通し前記柱状ビーズの両端へ突出する線材とから構成され、前記線材は、前記柱状ビーズの一端側ではプローブを接触させるためのリング状頭部を形成し、前記柱状ビーズの他端側では回路へ接続するための脚部を形成し、さらに前記リング状頭部の一部には線材が水平に形成された水平部位を有してなるチェック用端子を提供するものである。
【００１２】
上記構成によれば、リング状頭部の水平部位によって、鰐口クリップとの接触面積が大きくなり、安定な接触状態が得られる。また、カギ型のプローブを用いた場合には、水平部位の線材に対しプローブの先を安定して引っ掛けることができる。
【００１３】
また、請求項２は、請求項１記載のチェック用端子において、リング状頭部は、柱状ビーズの端面を頂点とする逆三角形に形成され、前記逆三角形の底辺を水平部位とすることを特徴とする。
【００１４】
上記構成によれば、柱状ビーズの近傍では線材が集中してコンパクトになるとともに、長い水平部位が確保され、プローブとの接触が容易になる。
【００１５】
また、請求項３は、請求項１又は２記載のチェック用端子において、柱状ビーズの高さが、チェック用端子をプリント基板に取り付けたときに他の電子部品より高くなるように設定されることを特徴とする。
【００１６】
上記構成によれば、プリント基板上において、チェック用端子が他の電子部品に囲まれて埋もれたりすることなく、目視による識別が容易となる。したがって、プローブとの接触も安全に行われる。
【００１７】
さらに、請求項４は、請求項３記載のチェック用端子において、柱状ビーズの高さが、４〜８ｍｍであることを特徴とする。
【００１８】
上記構成によれば、他の部品よりもチェック用端子を高くするため、柱状ビーズの具体的な高さが特定される。
【発明の効果】
【００１９】
以上のように、本発明は、リング状頭部の一部に線材が水平に形成された水平部位を有しているため、鰐口クリップ等のプローブを接触させた場合に、プローブがずれることなく安定して保持でき、したがって正確かつ効率的な測定・検査を行うことができる。
【００２０】
また、柱状ビーズの高さを、プリント基板に取り付けた場合に他の電子部品より高くなるように設定したため、他の電子部品とともにプリント基板に密集して取り付けた場合にも目的のチェック用端子を容易に探すことができ、かつプローブを他の部品と接触させることなく安全に測定・検査を行うことができる。
【発明を実施するための最良の形態】
【００２１】
以下、本発明に係るチェック用端子を、図１〜図３に基づき説明する。ここで、図１はチェック用端子の一実施形態を示す斜視図、図２はチェック用端子の使用状態を示す図、図３はチェック用端子の別の使用状態を示す図である。図１及び図２に示すように、この実施形態に係るチェック用端子１は、プリント基板Ｐに取り付けて回路上の任意の箇所における電気特性を計測もしくは検査するためのものであって、絶縁性の柱状ビーズ１０と、柱状ビーズ１０を貫通して両端へ突出する線材２０とから概略構成されている。
【００２２】
柱状ビーズ１０は、ガラス、樹脂等の絶縁性の材料から構成され、図１に示す円柱状の他、角柱状など様々な形状にすることができる。そして、柱状ビーズ１０の端面には、線材２０を貫通させるための貫通孔１１が形成されている。
【００２３】
線材２０は、銅などの導電性の材料から構成され、図１に示すように、予め折り曲げられた上で先端が柱状ビーズ１０の貫通孔１１に挿入され、柱状ビーズ１０の両端面から線材２０が突出した状態となっている。それにより、柱状ビーズ１０の上端面にはリング状頭部２１が形成され、柱状ビーズ１０の下端面には回路へ接続するための脚部２２が形成されている。チェック用端子１をプリント基板Ｐへ取り付ける際には、図２に示すように、脚部２２をスルーホールＰ１等の穴に挿入し、半田Ｈで半田付けすることにより固定される。なお、二本の脚部２２は線材自身の弾性によって互いに離れる方向へ付勢されており、したがって、スルーホールＰ１等の穴の径を脚部２２の幅よりも小さく形成することにより、弾性力に抗して押し込まれた脚部２２がスルーホールＰ１等の穴の内側で保持され、例えばチェック用端子１を半田付けにより固定する前の仮止めを行うことができる。
【００２４】
また、リング状頭部２１の一部には、線材２０が水平に形成された水平部位２１０が形成されている。図１の例では、リング状頭部２１が柱状ビーズ１０の端面を頂点とする逆三角形に形成され、その逆三角形の底辺が水平部位２１０となっている。このような水平部位を設けることにより、図２に示すように、プローブＤ１を用いて測定する際に、プローブＤ１の先端のフックが水平部位２１０に引っ掛かり易くなり、安定な接触状態を得ることができる。したがって、より正確かつ効率的な測定・検査を行うことが可能となる。特に、リング状頭部２１を逆三角形に形成することによって、水平部位２１０を長く確保できるとともに、柱状ビーズ１０の端面近傍では線材が集中しコンパクトになるため、部品が密集していても周囲に線材が接触することがなく好ましい。
【００２５】
また、図３に示すように、プローブＤ２として鰐口クリップを用いる場合には、リング状頭部２１に水平部位２１０が形成されているため、水平部位２１０の全体が鰐口クリップによって挟まれて接触面積が大きくなり、確実にプローブとの接触が行われる。
【００２６】
さらに、図２に示すように、柱状ビーズ１０の高さｈ１は、チェック用端子１をプリント基板Ｐに取り付けたときに他の電子部品Ａの高さｈ２より高くなるように設定されている。具体的には、他の電子部品Ａの種類にもよるが、高さｈ１を４〜８ｍｍとすることが好ましい。これにより、プリント基板上に電子部品Ａを密集して取り付けた場合にも、多数の電子部品Ａの間にチェック用端子１が埋もれたりすることなく、容易に目的のチェック用端子１を目視により確認することができる。また、プローブＤ１を近づける際にも、チェック用端子１が電子部品Ａの間から高く突き出ているため、誤ってプローブＤ１と他の電子部品Ａとを接触させたりすることなく、安全に測定・検査を行うことが可能となる。
【００２７】
なお、柱状ビーズ１０は、黒、茶、青、赤、黄色など、任意の色に着色することができる。例えば、回路上の位置によって色を変えることにより、目的のチェック用端子を容易に識別することが可能となる。特に、本発明では、上述のように柱状ビーズ１０の高さｈ１を高く設定したため、色分けしたチェック用端子を各部品が実装されたプリント基板の上から容易に確認することができる。
【００２８】
なお、図１〜図３の実施の形態では、柱状ビーズ１０の高さｈ１を、チェック用端子１をプリント基板Ｐに取り付けたときに他の電子部品Ａより高くなるように設定したが、これに限定されることなく、例えば部品の密集度が低いためにプローブの接触やチェック用端子の目視に特に問題がない場合には、柱状ビーズ１０の高さｈ１をより低く設定することもできる。
【図面の簡単な説明】
【００２９】
【図１】本発明に係るチェック用端子の一実施形態を示す斜視図である。
【図２】本発明に係るチェック用端子の使用状態を示す図である。
【図３】本発明に係るチェック用端子の使用状態を示す図である。
【図４】従来のチェック用端子の使用状態を示す図である。
【符号の説明】
【００３０】
１      チェック用端子
１Ｂ    チェック用端子
１０    柱状ビーズ
１１    貫通孔
２０    線材
２１    リング状頭部
２１０  水平部位
２２    脚部
３０    ビーズ玉
４０    頭部
Ａ      電子部品
Ｄ１、Ｄ２  プローブ
ｈ１〜ｈ３  高さ
Ｈ      半田
Ｐ      プリント基板
Ｐ１    スルーホール
【図１】
2006324148.tif 000003
【図２】
2006324148.tif 000004
【図３】
2006324148.tif 000005
【図４】
2006324148.tif 000006